(57)【要約】      （修正有）【課題】室外側操作レバーのロック操作を簡易に実施可能で、かつ、アクセサリ等の付属品を取り付け可能なレバーロック具を提供する。【解決手段】レバーロック具は、特殊車両の室外側操作レバー７０をロックして所定の位置に保持するためのレバーロック具であって、略Ｊ字状の一部に扇形の凸部が形成され、かつ、付属品を取り付け可能な穴部が形成された取付部２０への取付軸を中心に回動可能な本体部１０と、前記本体部１０を前記特殊車両の車体へ取り付けるための前記取付部２０とからなる。【選択図】図６
0003182706.tif 000002
【実用新案登録請求の範囲】
【請求項１】
特殊車両の室外側操作レバーをロックして所定の位置に保持するためのレバーロック具であって、
略Ｊ字状の一部に扇形の凸部が形成され、かつ、付属品を取り付け可能な穴部が形成された取付部への取付軸を中心に回動可能な本体部と、
前記本体部を前記特殊車両の車体へ取り付けるための前記取付部と
からなることを特徴とするレバーロック具。
【請求項２】
前記取付部にロック状態に応じた前記扇形部分を検出するセンサを備え、
前記センサは、前記扇形を検出した場合に作動する、前記特殊車両の運転席に配置される聴覚により認識可能な報知装置および視覚により認識可能な表示装置のうち少なくともいずれか一方と接続されることを特徴とする請求項１に記載のレバーロック具。
【考案の詳細な説明】
【技術分野】
【０００１】
本考案は、コンクリートミキサー車等の特装車の回転ドラムの操作レバーのロック状態を確実に保持することができるレバーロック具に関する。
【背景技術】
【０００２】
従来、コンクリートミキサー車においては、生コンクリートが収容された回転ドラムがこれに連結された油圧モータにより正逆回転させられ、回転ドラムの正転時には内部に設けられたブレードの作用により生コンクリートを回転ドラム内で混練又は攪拌して、それに対して逆転時には回転ドラムの排出口から生コンクリートを排出する機構が設けられている。
【０００３】
油圧モータを駆動する油圧ポンプは、運転席及び室外の２箇所に設置した操作レバーにより選択的に操作可能に構成されており、操作レバーの位置に応じて、回転ドラムが正転（生コンクリート投入及び攪拌）、停止（中立）、逆転（生コンクリート排出）することとなる。
【０００４】
運転席の近傍に設けられた室内側操作レバーはフレキシブルケーブルを介して、また室外側操作レバーはリンクを介して、それぞれ作動杆に連結され、運転室内、室外の双方から油圧ポンプを、操作可能となっているものもある。なお、回転ドラムは油圧ポンプから油圧配管を介して送給される作動油で駆動される油圧モータにより回転駆動される。
【０００５】
コンクリートミキサー車は移動走行中は、操作レバーを回転ドラムの攪拌位置に置いた状態にしているが、振動や、ぶつかったり不測の外力等により操作レバーが逆転位置（生コンクリートの排出（位置））に移動して生コンクリートが道路に排出されることを防止するため操作レバーにロック機構を附設している。
【０００６】
ロック機構付き操作レバーの関連技術として、コンクリートミキサー車等の特装車の操作レバー装置において、操作レバーのロック操作を確実に行い、かつ室内、室外運転の切り換えを簡単な手段で行ない得る操作レバー装置を提供するものが提案されている。
その構成は、車体に枢支されたディテントプレートに設けた第１、第２のストッパ部に操作レバーの係止片及びロックレバーを当接可能とする一方ディテントプレートをロック解除方向に附勢するばねを設け、２つのストッパ部と係止部及びロックレバーとの当接、解除を可能にするものである（特許文献１参照）。
【先行技術文献】
【特許文献】
【０００７】
【特許文献１】実開平７−２９６１４号公報
【考案の概要】
【考案が解決しようとする課題】
【０００８】
しかしながら、上記の関連技術は、そもそもコンクリートミキサー車が移動走行中に、室外側操作レバーを回転ドラムの攪拌位置又は停止位置に置いた状態にしているが、振動や、ぶつかったり不測の外力等により操作レバーが逆転位置（生コンクリートの排出（位置））に移動して生コンクリートが道路に排出されることがないよう、室外側操作レバーのロック状態を確実に保持するためにレバーロック具を用いるものではない。したがって、レバーロック具を用いることによって操作レバーのロック操作の容易性を高めることは困難であり、また、そのレバーロック具にキーホルダ等のアクセサリを取り付けられるようにしてユーザの趣味に合わせたものとすることも困難であった。
【０００９】
本考案の目的は、室外側操作レバーのロック操作を簡易に実施することができ、かつ、アクセサリ等の付属品を取り付けることができるレバーロック具を提供することにある。
【課題を解決するための手段】
【００１０】
本考案のレバーロック具は、
特殊車両の室外側操作レバーをロックして所定の位置に保持するためのレバーロック具であって、
略Ｊ字状の一部に扇形の凸部が形成され、かつ、付属品を取り付け可能な穴部が形成された取付部への取付軸を中心に回動可能な本体部と、
本体部を特殊車両の車体へ取り付けるための取付部とからなることを特徴とする。
このように構成することにより、略Ｊ字状の一部に扇形の凸部が形成されているので、該部分をレバーロック具の操作者（特殊車両としてのコンクリートミキサー車等の運転手など）が手指により把持・押圧してレバーロック具の本体部の回動操作を容易かつより安全に実施することができる。また、アクセサリ類などの付属品を取り付け可能な穴部により、個人の趣味に応じた小物やストラップ類や小さな作業工具等をぶら下げておくことができ、多様化した個性や趣味の実現を図ることができる。
【００１１】
また、本考案のレバーロック具は、
取付部にロック状態に応じた扇形部分を検出するセンサを備え、
センサは、扇形を検出した場合に作動する、特殊車両の運転席に配置される聴覚により認識可能な報知装置（ブザー）および視覚により認識可能な表示装置（ランプ）のうち少なくともいずれか一方と接続されることであってもよい。
このように構成することにより、室外側操作レバーをロックしていない場合に、ロック状態に応じた扇形部分を検出するセンサが、ロックされていないことを検知し、運転席に配置されるブザーやランプなどにより運転手に覚知させて、ロックのかけ忘れ防止やロックが外れた非常事態への対応の便宜が図られる。
【考案の効果】
【００１２】
本考案によれば、室外側操作レバーのロック操作を簡易に実施可能で、かつ、アクセサリ等の付属品を取り付け可能なレバーロック具を提供することができる。
【図面の簡単な説明】
【００１３】
【図１】本考案の実施の形態に係るレバーロック具の本体部と取付部の全体図である。
【図２】本考案の実施の形態に係るレバーロック具をコンクリートミキサー車に取り付けた状態を示す図である。
【図３】本考案の実施の形態に係るレバーロック具による室外側操作レバーのロック操作を示す図である。
【図４】本考案の実施の形態に係るレバーロック具による室外側操作レバーのロック操作を示す他の図である。
【図５】本考案の実施の形態に係るレバーロック具と連動した運転席の状態を示す斜視図である。
【図６】本考案の実施の形態に係るレバーロック具を備えるコンクリートミキサー車の概略全体図である。
【考案を実施するための形態】
【００１４】
以下、本考案の実施の形態を図面を参照しつつ説明する。本実施形態のレバーロック具Ｒは、特殊車両としてのコンクリートミキサー車Ｃの操作レバー７０の位置決めを行うために用いられるストッパとして機能する。
【００１５】
図１に示すように、本実施形態のレバーロック具Ｒは、本体部１０と取付部２０とから構成されている。
【００１６】
本体部１０は、断面が円形（径は約１ｃｍ）の鉄棒（長さ約１５ｃｍ）を略Ｊ字型に湾曲させたフック部１１と、本体部１０を取付部２０側に取り付けるためのネジ４０（不図示）を挿し込むためのネジ穴１２と、略Ｊ字型の鉄棒の直線部分の一部に形成された幅方向３ｃｍで高さ方向２ｃｍの扇形の凸部１３と、フック部１１と凸部１３との間に設けられた付属品を取り付け可能な穴部１４とを備えている。
ネジ穴１２は、フック部１１の直線部分の中間部分を押しつぶして扁平にした部分に穿設されている。
凸部１３は、フック部１１に板状部材の両端部を溶着して穴部１４を形成するように構成されている。
なお、鉄棒に限らず材質はどのようなものでもよく、また、略Ｊ字でなくても略Ｌ字・略Ｃ字等であってもよい。さらに、凸部１３の形状も扇形でなく略方形・円形等であってもよく大きさ・位置も適宜変更可能である。
【００１７】
取付部２０はそれぞれ略方形（縦約６ｃｍ、横約４ｃｍ）の一面の縁部に他面が略垂直に取り付けられた厚み寸法５ｍｍ程度の２面の鉄板からなり、一面側に設けられる取付部２０を車両本体側に取り付けるためのネジ３０（不図示）を挿し込むためのネジ穴２１と、他面側に設けられる本体部１０を一回転しないように所定位置で係止するための丸棒状に本体部１０側に突き出る係止部２２と、他面側に設けられる本体部１０を取付部２０側に取り付けるためのネジを挿し込むためのネジ穴２３（本体部１０のネジ穴１２と対応する位置に設けられる）と、一面側に他面と略平行に設けられるセンサ５０（不図示）を取り付けるための中間板部２４と、中間板部２４に設けられてセンサ５０（不図示）を挿し込むための貫通口部２５と、他面側に設けられるセンサ５０（不図示）を挿し込むための貫通口部２６（貫通口部２５と対応する位置に設けられる）とを備えている。
ネジ穴２１、２３及び貫通口部２５、２６は、鉄板に穿設されている。
係止部２２は、他面側に溶着されている。
なお、鉄板に限らず材質はどのようなものであってもよい。さらに、各部の数、形状、大きさ、位置なども適宜変更可能である。
【００１８】
次に、本実施形態に係るレバーロック具Ｒがコンクリートミキサー車Ｃに取り付けられた状態を図２を参照して説明する。なお、図２はコンクリートミキサー車Ｃ（前方から見て車両の左側部分）の前方から後方を見る視点に基づくものである。
操作レバー７０（室外側操作レバー）の位置決めを補助するカバー部６０がコンクリートミキサー車Ｃの車両本体に所定のネジ等により取り付けられている。操作レバー７０の位置に応じてそれぞれ、回転ドラムが正転（コンクリート投入及び攪拌）、停止（中立）、逆転（コンクリート排出）する。
【００１９】
ネジ３０がレバーロック具Ｒの取付部２０のネジ穴２１に挿通されカバー部６０に固着されて、レバーロック具Ｒが車両本体側に取り付けられることとなる。
また、ネジ４０が本体部のネジ穴１２に挿通され、さらにネジ穴２３にも、ネジ４０が挿通され、ネジ受けにより固定されて、本体部１０が取付部２０側に取り付けられることとなる。
【００２０】
レバーロック具Ｒの取付部２０の貫通口部２５と貫通口部２６にはセンサ５０が挿入されてセンサ５０の先端部が貫通口部２６よりわずかに飛び出る位置に設置されている。センサ５０のコードは車両本体へ案内されている。なお、センサ５０は、レバーロック具Ｒの本体部１０の扇形の凸部１３の存在の有無を検知する既知の近接センサであり、例えば、オムロン社製のＥ２Ｅ＿Ｘ２ＭＥ１などが適用可能である。
【００２１】
レバーロック具Ｒの本体部１０のフック部１１と凸部１３との間に設けられた付属品を取り付け可能な穴部１４には、付属品としてのアクセサリ類（小物やストラップ類や小さな作業工具等）であるストラップ１５が結び付けられてぶら下げられている。
【００２２】
以下では、本実施形態のレバーロック具Ｒによる操作レバー７０のロック操作及びロック解除操作を図３及び図４を参照して詳細に説明する。なお、レバーロック具Ｒの操作者は、コンクリートミキサー車Ｃの運転手であることが多いのでその者であることを前提とする。
【００２３】
図３（ａ）はレバーロック具Ｒにより操作レバー７０をロックした状態である。なお、操作レバー７０は、「攪拌」位置にある。このときレバーロック具Ｒは寝かせた位置となる。すなわち、レバーロック具Ｒは寝かせた位置であるのでレバーロック具Ｒの曲部がストッパとなり、操作レバー７０は左方向に移動しようとする力が加えられてもレバーロック具Ｒの曲部にぶつかり「排出」位置には移動しない。
操作レバー７０の位置決めを補助するカバー部６０には操作レバー７０が可動可能な範囲を制限してその動作を案内するための開口部６１が設けられ、カバー部６０には操作レバー７０の所定の位置における回転ドラムの動作を示す文字「排出」、「投入」、「攪拌」、「中立」などが付加されている。
【００２４】
図３（ｂ）はレバーロック具Ｒによる操作レバー７０のロックを解除した状態である。すなわち、操作者はレバーロック具Ｒを操作して図３（ａ）のを寝かせた位置から立たせた位置まで遷移させる。なお、操作レバー７０は「投入」位置まで移動させられているが、この位置に限らず操作者は、操作レバー７０をレバーロック具Ｒの曲部にぶつけることなく広く「排出」位置まで自由に移動させることが可能となる。
【００２５】
図３（ｃ）は、図３（ｂ）の状態から操作者により操作レバー７０を「排出」位置に移動させた状態を示す図である。典型的には現場に到着して生コンクリートを作業用に回転ドラムから排出している状況である。なお、この現場作業が終了すると、図４に示すロック作業が必要となる。
【００２６】
図４（ａ）は、図３（ｃ）の状態からロックするための準備を開始した状態である。操作者はレバーロック具Ｒを操作して図３（ｃ）のを立たせた位置から寝かせた位置まで遷移させる。なお、丸棒状に本体部１０側に突き出る取付部２０の係止部２２により本体部１０は自重により一回転せずに所定位置で係止部２２に係止する。このように係止するので操作者はレバーロック具Ｒから手を離して操作レバー７０の操作を行うことも可能であるので操作の便宜が図られている。
【００２７】
図４（ｂ）は、図４（ａ）の状態から操作者が操作レバー７０を「投入」位置に向けて移動させる途中の状態である。操作レバー７０がレバーロック具Ｒの曲部にぶつかりレバーロック具Ｒは寝かせた位置から少し起きた位置（操作レバー７０が「中立」位置）となる。
【００２８】
図４（ｃ）は、図４（ｂ）の状態から操作者が操作レバー７０を「投入」位置にまで移動させきった状態である。操作レバー７０がレバーロック具Ｒの曲部にぶつかりレバーロック具Ｒの曲部を上方に跳ね上げるようにレバーロック具Ｒを回動させて、操作レバー７０がレバーロック具Ｒの曲部を右方向に超えてレバーロック具Ｒの直線部に到達する。その後、上方に跳ね上げられていたレバーロック具Ｒの曲部は自重により元の状態に戻ろうとして下方向に回動する。そのタイミングに合わせて操作者は操作レバー７０を「投入」位置から「攪拌」位置に向けて移動させる。
そうすると、図３（ａ）のレバーロック具Ｒにより操作レバー７０をロックした状態（レバーロック具Ｒは寝かせた位置）に戻る。
【００２９】
また、センサ５０は、図３（ａ）のロック状態（レバーロック具Ｒは寝かせた位置）では、レバーロック具Ｒの本体部１０の扇形の凸部１３を検知することはないが、もし、ロックをかけ忘れたりして、図３（ｂ）のロックの解除状態（レバーロック具Ｒは立たせた位置）である場合には、レバーロック具Ｒの本体部１０の扇形の凸部１３の存在を検知する。
したがって、ロックの解除状態（レバーロック具Ｒは立たせた位置）のままで操作レバー７０を「攪拌」位置として、コンクリートミキサー車Ｃを発進させてようとしても、例えば図５に示すように、コンクリートミキサー車Ｃの運転席の前方に配置されたブザー８０（例えば、オムロン社製のＭ２ＢＪ−ＢＨ）や４連の７セグメントＬＥＤ９０などにより、聴覚により認識可能なブザー音が報知されたり、視覚により認識可能なランプ点灯・点滅等の表示がなされ、運転手（操作者）はロック状態でないことを覚知することとなり、ロックのかけ忘れに気付くことができる。
なお、センサ５０は、図４（ａ）の状態（レバーロック具Ｒは寝かせた位置）では、レバーロック具Ｒの本体部１０の扇形の凸部１３を検知することはないが、図４（ｂ）のレバーロック具Ｒが寝かせた位置から少し起きた位置（操作レバー７０が「中立」位置）では、レバーロック具Ｒの本体部１０の扇形の凸部１３の端部の存在を検知し始めている。さらにセンサ５０は、図４（ｃ）の状態でもレバーロック具Ｒの本体部１０の扇形の凸部１３の存在を検知している。
センサ５０が図４（ｂ）のレバーロック具Ｒの位置から凸部１３を検知することとなるが、図３（ａ）のロック状態では、操作レバー７０は「撹拌」位置にあることが前提となるので、操作レバー７０を「中立」位置とすることは基本的にできない。
【００３０】
図６にコンクリートミキサー車Ｃに本実施形態のレバーロック具Ｒを実装した状態を示す。コンクリートミキサー車Ｃは周知の構成からなり、ここではその詳細な説明は省略する。レバーロック具Ｒは、コンクリートミキサー車Ｃの車両後方部に設けられることとなる。なお、運転席の近傍に設けられる室内側操作レバー１００が操作レバー７０（室外側操作レバー）と連動しているように構成することであってもよい。このように構成することで、運転席にいながら（外にでることなく）室内側操作レバー１００を操作することで操作レバー７０（室外側操作レバー）を操作してその位置を変更することが可能となり、操作者の便宜を図ることができる。
【００３１】
また、本実施形態においては、センサ５０を装備していることを前提として説明したが、本実施形態のレバーロック具Ｒは、必ずしもセンサ５０の装備を必須とするものではなく、センサ５０が装備されていない状態で用いられてもよい。コスト等の観点からセンサ５０を装備しないで利用することも考えられる。
【００３２】
その場合であっても、レバーロック具Ｒの本体部１０の略Ｊ字状の一部に扇形の凸部１３が形成されているので、該部分をレバーロック具Ｒの操作者（特殊車両としてのコンクリートミキサー車等の運転手など）が手指により把持・押圧してレバーロック具Ｒの本体部の回動操作を容易かつより安全に実施することができる、という顕著な効果を奏する。また、アクセサリ類などの付属品を取り付け可能な穴部１４により、個人の趣味に応じた小物やストラップ類や小さな作業工具等をぶら下げておくことができ、多様化した個性や趣味の実現を図ることができるという効果を奏する。
【００３３】
その他、一々例示はしないが、本考案は、その趣旨を逸脱しない範囲内において、各構成部分の大きさや形状を含む種々の変更が加えられて実施されてよい。
【符号の説明】
【００３４】
Ｒ                  レバーロック具
１０                本体部
１１                フック部
１２、２１、２３    ネジ穴
１３                凸部
１４                穴部
１５                ストラップ
２０                取付部
２２                係止部
２４                中間板部
２５、２６          貫通口部
３０、４０          ネジ
５０                センサ
６０                カバー部
６１                開口部
７０                操作レバー（室外側操作レバー）
８０                ブザー
９０                ７セグメントＬＥＤ
１００              室内側操作レバー
【図１】
0003182706.tif 000003
【図２】
0003182706.tif 000004
【図３】
0003182706.tif 000005
【図４】
0003182706.tif 000006
【図５】
0003182706.tif 000007
【図６】
0003182706.tif 000008